(57)【要約】【課題】本発明は、並設された３台以上のキャビネットの前面下部に幅方向に連続したニースペースを持つシステムキッチンを提供する。【解決手段】本発明に係るシステムキッチン１１Ａは、並設された複数のキャビネット１１Ａ，１１Ｂ，１１Ｃとこれらキャビネット１１Ａ，１１Ｂ，１１Ｃの上部に設けられた共通の天板１２とを備えたものである。システムキッチン１１Ａは、複数のキャビネット１１Ａ，１１Ｂ，１１Ｃは、隣接するキャビネットの隣り合う側板２１同士を側面視逆Ｌ字状に構成し、キャビネット１１Ａ，１１Ｂ，１１Ｃの前面下部に連続したニースペースＢを設けたものである。【選択図】  図１
2006015162.tif 000002
【特許請求の範囲】
【請求項１】
並設された複数のキャビネットとこれらキャビネットの上部に設けられた共通の天板とを備えたシステムキッチンにおいて、前記複数のキャビネットは、隣接するキャビネットの隣り合う側板同士を側面視逆Ｌ字状に構成し、前記キャビネットの前面下部に連続したニースペースを設けたことを特徴とするシステムキッチン。
【請求項２】
前記複数のキャビネットは少なくとも３台備え、並設された少なくとも３台のキャビネットは、隣り合う側板同士を前記連続したニースペースと同様の高さと奥行寸法の方形に切り欠いて側面視逆Ｌ字状に形成し、この側面視逆Ｌ字状の側板同士を隣接させて構成したことを特徴とする請求項１記載のシステムキッチン。
【請求項３】
前面下部にニースペースが設けられた前記キャビネットは、その両側板が前記ニースペースと同様の高さと奥行寸法の方形に切り欠かれて側面視逆Ｌ字状に形成されたことを特徴とする請求項１記載のシステムキッチン。
【発明の詳細な説明】
【技術分野】
【０００１】
本発明は、複数のキャビネットと、該キャビネットの上部に載置される水槽付の天板とを備えたシステムキッチンに関するものである。
【背景技術】
【０００２】
従来より、流し台や洗面化粧台等において、実開平５−７２２３７号公報（特許文献１）や特開平８−１４０７５９号公報（特許文献２）に開示されているように、身障者や高齢者が車椅子等に座ったままで調理や洗面等を行なうことができるように、膝をいれることができるニースペースが形成されたキャビネットが種々提案されている。また、健常者であっても、長時間調理をする際に椅子に座って作業したい場合があり、その場合もニースペースが形成されたキャビネットは好適である。
【特許文献１】実開平５−７２２３７号公報
【特許文献２】特開平８−１４０７５９号公報
【発明の開示】
【発明が解決しようとする課題】
【０００３】
しかしながら、従来のキャビネットにおいては、ニースペースは単体キャビネットで形成できる空間に限られており、単体キャビネットの製作可能横幅寸法に限定されているため、ニースペースに膝を入れて作業できる天板上の作業スペースもこの横幅寸法に限定されていた。
【０００４】
本発明は、上記課題を解決する為になされたもので、天板スペースの、横幅寸法に限定された部分以外で調理等の作業を行なう際も、椅子に座ったままで作業できる並設されたキャビネットの幅方向に連続したニースペースを持つシステムキッチンを提供する。
【課題を解決するための手段】
【０００５】
本発明に係るシステムキッチンは、上述した課題を解決するために、請求項１に記載したように、並設された複数のキャビネットとこれらキャビネットの上部に設けられた共通の天板とを備えたシステムキッチンにおいて、前記複数のキャビネットは、隣接するキャビネットの隣り合う側板同士を側面視逆Ｌ字状に構成し、前記キャビネットの前面下部に連続したニースペースを設けたことを特徴とする。
【０００６】
また、本発明に係るシステムキッチンは、上述した課題を解決するために、請求項２に記載したように、前記複数のキャビネットは少なくとも３台備え、並設された少なくとも３台のキャビネットは、隣り合う側板同士を前記連続したニースペースと同様の高さと奥行寸法の方形に切り欠いて側面視逆Ｌ字状に形成し、この側面視逆Ｌ字状の側板同士を隣接させて構成したことを特徴とする。
【０００７】
さらに、本発明に係るシステムキッチンは、上述した課題を解決するために、請求項３に記載したように、前面下部にニースペースが設けられた前記キャビネットは、その両側板が前記ニースペースと同様の高さと奥行寸法の方形に切り欠かれて側面視逆Ｌ字状に形成されたことを特徴とする。
【発明の効果】
【０００８】
本発明に係るシステムキッチンによれば、並設された複数のキャビネットの前面下部に連続したニースペースを設けることで、例えば水槽下部以外の天板部下方の前部がキャビネット幅方向に延びる広い空間となり、高齢者や身障者等はこのキャビネットの前に椅子を置き、連続したニースペースに足を差し入れて、自然な姿勢で調理等の作業をすることができる。特に車椅子に乗っている人は車椅子の前部をキャビネット下部の空間の中に入れることによって天板に近づくことができるので、天板上の設備が使用しやすい。また、車椅子の回転、移動時にキャビネットの側板に当たることなく楽に動作できる。
【０００９】
本発明に係るシステムキッチンによれば、少なくとも３台の並設されたキャビネットに同じ奥行、高さの連続するニースペースを設けることで、広いニースペースを並設されたキャビネットの幅方向に連続して確保でき、使用者が横方向へ移動しながら作業でき、また、複数人が同時に作業することもできる。また、キャビネット間の接続に違和感がなくデザイン性も向上すると共に、限定された天板スペース以外のスペースにおいても椅子に座って膝がキャビネットの扉等にあたることなく、安全に作業ができる等の効果を発揮する。
【発明を実施するための最良の形態】
【００１０】
本発明に係るシステムキッチンの実施の形態について添付図面を参照して説明する。
【００１１】
図１はこの発明をシステムキッチンに適用した場合を示しており、このシステムキッチン１０は並設された複数のキャビネット１１Ａ，１１Ｂ，１１Ｃとこれらキャビネット１１Ａ，１１Ｂ，１１Ｃの上部に設けられた水槽付き天板１２とを備える。天板１２の水槽部に流し台１４が形成され、この流し台１４は、ニースペースＡ１をもつ側面視逆Ｌ字状に形成したキャビネット１１Ａと、このキャビネット１１Ａに隣接するキャビネット１１Ｂと、これらのキャビネット１１Ａ，１１Ｂの上部に装着された水槽付き天板１２とで連続したニースペースＡを形成している。
【００１２】
このシステムキッチン１０では、並設された複数の単体キャビネット１１Ａ，１１Ｂ，１１Ｃの幅寸法および／または引出しや開閉扉等の収納構造が異なって形成される。隣接するキャビネット１１Ａ，１１Ｂの前面下部に連続して形成されるニースペースＡは、その奥行き、床面からの高さが同一寸法に形成されている。
【００１３】
もちろん、キャビネット１１Ａ、隣接するキャビネット１１Ｂの片側もしくは両側に抽出しや扉付き収納部が形成されたキャビネット１１Ｃを並列してシステムキッチン１０を構成することもできる。
【００１４】
キャビネット１１Ａはキャビネット本体２０を有し、このキャビネット本体２０は、図１および図２に示すように、両側端部に側板２１と底板２２と背板２３及び両側板２１，２１の手前側上部に横方向に架設された前板２４とから構成されており、上記両側板２１，２１と前板２４にて両側面と上部を囲まれた、側面視逆Ｌ字状に形成したニースペースＡ（Ａ１）が形成されると共に、該ニースペースＡの奥には観音開きタイプの扉２５，２５によって開閉される収納部２６が形成されている。
【００１５】
キャビネット１１Ｂも上述同様の構造により側面視逆Ｌ字状に形成したニースペースＡ２が形成されている。
【００１６】
上記両側板２１，２１の手前側面部（前面部）は図２からも明らかなように、矩形形状に切り欠かれ、キャビネット１１ＡのニースペースＡ１と同様の高さと奥行寸法の方形に切り欠く形状にて連続したニースペースＡが形成されている。
【００１７】
キャビネット１１Ｂについても同様に両側板２７の手前側面部（前面部）が切り欠かれ、キャビネット１１ＡのニースペースＡ１と同様の高さと奥行寸法の方形に切り欠く形状にて側面視逆Ｌ字状に形成したニースペースＡ２が形成されている。
【００１８】
キャビネット１１Ａの収納部２６には前記水槽１４に接続する排水管が設置されるとともに、棚板等を設置することもできる。キャビネット１１Ｂの収納部２８にも棚板等を設置することができる。
【００１９】
この実施例に係るシステムキッチン１０は、以上説明したように、キャビネット１１Ａ、これに隣接するキャビネット１１ＢのニースペースＡを形成する両側板２１及び両側板２７をニースペースＡと同様の高さと奥行寸法の方形に切り欠く形状としたことで、連立するキャビネット１１Ａ，１１Ｂ間で同じ奥行きのニースペースＡを連続して形成することが可能になり、上面の水槽付き天板１２上を使って調理作業等をする際に、椅子に座った状態で膝を差し入れることが可能な範囲が単体のキャビネット１１Ａの製作寸法により限定されること無く大幅に拡大することができる。更に車椅子での作業中に左右に移動が必要な状態でも車椅子の前部がキャビネット１１Ａ，１１Ｂの下部に差し入れた状態で移動でき、安心して作業ができる。
【００２０】
更に、ニースペースＡを有する単体キャビネット１１Ａ，１１Ｂを組み合せて自由に設置できるため、必要に応じてニースペースＡを有する空間を自由に選べることが可能になる。図３はシステムキッチン１０Ａ全体に連続するニースペースＢを有する例であり、図１はシステムキッチン１０の一部に連続するニースペースＡを有する例である。図３に示されたシステムキッチン１０Ａを説明するに当り、図１に示されたシステムキッチン１０と同じ構成には、同一符号を付して説明を省略する。
【００２１】
図４は、システムキッチン１０のキャビネット１１Ａ，１１Ｂ上に載置される水槽付き天板１４を示す斜視図であり、図５はシステムキッチン１０に備えられる単体キャビネット１１Ａを示す斜視図である。また、図６はシステムキッチン１０のキャビネット１１Ａに隣接して設けられる単体キャビネット１１Ｂを示す斜視図である。図７は、システムキッチン１０に備えられるキャビネット１１Ｃの変形例を示すもので、単体キャビネット１１Ｄを示す斜視図である。
【図面の簡単な説明】
【００２２】
【図１】本発明に係るシステムキッチンの第１実施形態の構成を示す斜視図。
【図２】図１に示されたシステムキッチンの構成を示す側断面図。
【図３】本発明に係るシステムキッチンの第２実施形態の構成を示す斜視図。
【図４】本発明のシステムキッチンに備えられる水槽付き天板の斜視図。
【図５】本発明のシステムキッチンに備えられるキャビネット１１Ａの斜視図。
【図６】本発明のシステムキッチンに備えられるキャビネット１１Ｂの斜視図。
【図７】本発明のシステムキッチンに備えられるキャビネットの変形例を示す斜視図。
【符号の説明】
【００２３】
１０  システムキッチン
１１Ａ，１１Ｂ，１１Ｃ  キャビネット
１２  水槽付天板
１４  流し台（水槽部）
２０  キャビネット本体
２１，２７  側板
２２  底板
２３  背板
２４  前板
２６，２８  収納部
Ａ，Ａ１，Ａ２，Ｂ  ニースペース
【図１】
2006015162.tif 000003
【図２】
2006015162.tif 000004
【図３】
2006015162.tif 000005
【図４】
2006015162.tif 000006
【図５】
2006015162.tif 000007
【図６】
2006015162.tif 000008
【図７】
2006015162.tif 000009